【事件の表示】
　特願２０１６−５７５９９０「プレビューからの情報処理デバイス上のコンテンツのアンロック」拒絶査定不服審判事件〔平成２８年　１月　７日国際公開、ＷＯ２０１６／００２２１４、平成２９年　９月　７日国内公表、特表２０１７−５２６０５２〕について、次のとおり審決する。
【結　論】
　本件審判の請求は、成り立たない。
【理　由】
第１　手続の経緯
　
　本願は，２０１５年６月３０日（パリ条約による優先権主張２０１４年６月３０日（以下，「優先日」という。），米国）を国際出願日とする出願であって，平成２９年２月２４日付けで翻訳文が提出され，平成２９年３月１３日に審査請求がなされ，平成２９年９月２９日付けの拒絶理由通知に対して平成２９年１２月４日付けで意見書が提出されるとともに手続補正がなされたが，平成３０年５月１７日付けで拒絶査定がなされ，これに対して平成３０年８月２１日に拒絶査定不服審判の請求がなされるとともに手続補正がなされ，平成３１年２月２６日付けで当審により拒絶理由通知がされ，令和元年５月７日付けで意見書が提出されるとともに手続補正（以下，「本件補正」という。）がされたものである。
　
　
第２　本願発明
　
　本件補正によって補正された特許請求の範囲の請求項１（以下「本願発明」という。）は，以下のとおりである。
「情報処理デバイスであって，
　複数の命令の組を格納するメモリ，
　ネットワークサービスからのコンテンツアイテムに相当する，ロック部分とアンロック部分を有する１つ以上のファイルを受信する操作，
　前記ロック部分がロックされている間に前記アンロック部分をプレビューとしてレンダリングするようにアプリケーションを実行する操作，
　前記アプリケーションを実行するときに，
　（ｉ）　ユーザーが前記コンテンツアイテムに係る支払いを受け入れることを示唆する指定入力を受信する機能を供する操作，
　（ｉｉ）　当該情報処理デバイスがネットワーク接続を有している期間中における前記指定入力の受信に応じて前記コンテンツアイテムのロック部分をアンロックする操作，及び，
　（ｉｉｉ）　当該情報処理デバイスがネットワーク接続を有していない期間中における前記指定入力の受信に応じて前記アンロック後の前記ロック部分を限定された状態でアクセスさせる操作，
　を有する操作を実行するために前記複数の命令の組へアクセスする１つ以上のプロセッサ，
　を有し，
　前記１つ以上のプロセッサは，新たなウインドウ又はアプリケーションを開くことなく，前記プレビューを供するように前記コンテンツアイテムのアンロック部分を実行し，前記プレビューとともに，前記指定入力を受け付ける操作子を表示し，前記（ｉｉ）または（ｉｉｉ）の操作を行うことで，前記コンテンツアイテムのロック部分から得られたコンテンツの表示を，前記プレビューとしてレンダリングされた前記アンロック部分のコンテンツの閲覧を中断することなく行うように前記アプリケーションを実行する操作，を有する操作を実行するために前記命令にアクセスする，情報処理デバイス。」
第３　拒絶の理由
　平成３１年２月２６日に当審が通知した拒絶理由のうちの理由２は，次のとおりのものである。
　
　本願発明は，本願の出願前に日本国内又は外国において，頒布された又は電気通信回線を通じて公衆に利用可能となった以下の引用文献１に記載された発明及び引用文献２，３に記載された事項に基づいて，その出願前にその発明の属する技術の分野における通常の知識を有する者が容易に発明をすることができたものであるから，特許法２９条２項の規定により特許を受けることができない，というものである。
　
引用文献１：国際公開第２０１３／１６１１０８号
引用文献２：特表２００８−５２５８６７号公報
引用文献３：特開２００４−７８８９０号公報
　
　
第４　引用文献の記載及び引用発明
１　引用文献１の記載
　引用文献１には，以下の事項が記載されている（下線は，当審で付した。以下同じ。）。
　
Ａ　「［００２５］　図１は，本発明の第１実施形態に係る電子書籍提供システム１０の全体構成図である。図１に示すように，本実施形態に係る電子書籍提供システム１０は，いずれもコンピュータを中心に構成された，電子書籍提供サーバ１２，ユーザ端末１４（１４−１，１４−２，・・・，１４−ｎ），を含んでいる。電子書籍提供サーバ１２，ユーザ端末１４は，インターネットなどのコンピュータネットワーク１６に接続されており，互いに通信可能になっている。
［００２６］　電子書籍提供サーバ１２は，ウェブサーバ等のコンピュータである。そして，本実施形態に係る電子書籍提供サーバ１２は，ウェブ技術を用いて，電子書籍提供サーバ１２に記憶されている電子書籍をユーザ端末１４に送信するサービス等を提供する。また，本実施形態に係る電子書籍提供サーバ１２は，電子メールを送信する機能も有している。また，電子書籍提供サーバ１２は，例えば，制御部，記憶部，通信部，等を含んで構成されている。制御部は，例えば，電子書籍提供サーバ１２にインストールされるプログラムに従って動作するＣＰＵ等のプログラム制御デバイスである。記憶部は，例えば，ＲＯＭやＲＡＭ等の記憶素子やハードディスクドライブなどである。通信部は，例えば，ネットワークボードなどの通信インタフェースである。これらの要素は，バスを介して接続される。電子書籍提供サーバ１２の記憶部には，電子書籍提供サーバ１２の制御部によって実行されるプログラムが記憶される。また，電子書籍提供サーバ１２の記憶部は，電子書籍提供サーバ１２のワークメモリとしても動作する。
［００２７］　
ユーザ端末１４は，電子書籍提供システム１０のユーザが使用するコンピュータ
ユーザ端末１４は，例えば，ＣＰＵ等の制御部，ＲＯＭやＲＡＭ等の記憶素子やハードディスクドライブ等の記憶部，ディスプレイ等の表示部，マウス，キーボード，タッチパネル，ボタン等の入力部，ネットワークボード等の通信部を備えている。
ユーザ端末１４は，ウェブブラウザを通じて電子書籍提供サーバ１２が提供する各種サービスを受ける
［００２８］　本実施形態では，予め，電子書籍提供サーバ１２の記憶部に，複数の電子書籍，電子書籍の書誌的事項等を管理するための電子書籍管理データ２０（図２参照），電子書籍提供システム１０のユーザのアカウントを管理するためのアカウントデータ２２（図３参照），などが記憶されている。本実施形態では，予め，電子書籍提供サーバ１２の記憶部に電子書籍のファイルが記憶されている。」
　
Ｂ　「［００３２］　本実施形態に係る
電子書籍提供サーバ１２は，図４に例示する，ユーザが購入可能な電子書籍に関する情報が示される電子書籍情報ページ２４をユーザ端末１４に提供する。
電子書籍情報ページ２４には，サムネイル画像，タイトル，著者名，出版社名，価格などといった，電子書籍に関する情報の他に，購入ボタン２６，それぞれが電子書籍の章に対応付けられる複数の購入前閲覧部分選択ボタン２８，お気に入りボタン３０，が含まれている
［００３３］　ユーザが電子書籍情報ページ２４に含まれるお気に入りボタン３０をクリックすると，ユーザ端末１４は，当該電子書籍情報ページ２４に情報が示されている電子書籍のお気に入りへの登録要求を，電子書籍提供サーバ１２に送信する。そして，電子書籍提供サーバ１２は，当該登録要求を受信して，受信した登録要求に応じて，当該電子書籍の電子書籍ＩＤを，当該ユーザのユーザＩＤが含まれるアカウントデータ２２のお気に入りＩＤに追加する。
［００３４］　
また，ユーザが電子書籍情報ページ２４に含まれる購入前閲覧部分選択ボタン２８をクリックすると，電子書籍情報ページ２４に対応する電子書籍の内容の一部である，選択された部分の電子書籍の内容がユーザ端末１４のディスプレイに表示される
電子書籍の購入前には，クリックされた購入前閲覧部分選択ボタン２８に対応付けられる章の先頭から所定数のページだけ，ユーザ端末１４において閲覧可能となる
［００３５］　
また，ユーザが電子書籍情報ページ２４に含まれる購入ボタン２６をクリックすると，ユーザ端末１４は，電子書籍情報ページ２４に情報が示されている電子書籍の購入要求を，電子書籍提供サーバ１２に送信する。そして，電子書籍提供サーバ１２は，当該購入要求を受信して，受信した購入要求に応じて，当該電子書籍の決済処理を実行する。電子書籍の決済処理の実行後は，当該電子書籍の内容のすべてがユーザ端末１４において閲覧可能となる
Ｃ　「［００３８］　本実施形態に係る
ユーザ端末１４は，機能的には，電子書籍受信部５０，閲覧制御部５２，購入要求送信部５４，決済終了通知受信部５６，を含んで構成される。これらの要素は，コンピュータであるユーザ端末１４にインストールされたプログラムを，ユーザ端末１４の制御部で実行することにより実現されている
［００３９］　ここで，本実施形態に係る
電子書籍提供システム
・・・（中略）・・・
［００４７］　そして，電子書籍送信部４４が，Ｓ１０２に示す処理で，ユーザ端末１４のユーザにより購入される可能性が高い電子書籍として予測された少なくとも１つの電子書籍をユーザ端末１４に送信する。ここで，
電子書籍送信部
ユーザ端末１４のユーザにより購入される可能性が高い電子書籍として予測された少なくとも１つの電子書籍を
ユーザ端末１４に送信する。すると，ユーザ端末１４の電子書籍受信部５０が，当該少なくとも１つの電子書籍を受信する（Ｓ１０３）
ユーザ端末１４が受信した電子書籍は，ユーザ端末１４の記憶部に保存される。この段階では，記憶部に保存された電子書籍は，ユーザによって指定される一部のみが閲覧可能な状態となっている。その後，受信した少なくとも１つの電子書籍のいずれかについて，ユーザにより，当該電子書籍に対応付けられる電子書籍情報ページ２４に含まれる購入前閲覧部分選択ボタン２８がクリックされることによって，ユーザ端末１４の閲覧制御部５２が，当該電子書籍についての購入前閲覧要求の入力を受け付ける（Ｓ１０４）。すると，ユーザ端末１４の閲覧制御部５２が，クリックされた購入前閲覧部分選択ボタン２８に対応付けられる章の先頭から所定数のページの範囲である，当該電子書籍の内容の一部を，ユーザ端末１４のディスプレイに表示させる（Ｓ１０５）。本処理例では，当該電子書籍の購入前については，閲覧が制限された部分のデータを含む，電子書籍のデータ全体が，ユーザ端末１４の記憶部に記憶されているものの，例えば，閲覧が制限された部分のデータが，暗号化されるなどして閲覧が制限された状態となっている
［００４８］　
その後，ユーザが，購入を希望する電子書籍に対応する電子書籍情報ページ２４に含まれる購入ボタン２６をクリックすると，ユーザ端末１４の購入要求送信部５４が，当該電子書籍の購入要求を電子書籍提供サーバ１２に送信する。すると，電子書籍提供サーバ１２の購入要求受信部４６が当該購入要求を受信する（Ｓ１０６）。そして，電子書籍提供サーバ１２の決済処理実行部４８が，当該電子書籍の決済処理を実行する（Ｓ１０７）
［００４９］　
そして，電子書籍提供サーバ１２の決済処理実行部４８は，決済処理が終了すると，決済処理が終了したことを示す通知をユーザ端末１４に送信する。すると，ユーザ端末１４の決済終了通知受信部５６は，当該通知を受信する（Ｓ１０８）。すると，ユーザ端末１４の閲覧制御部５２が，決済処理が終了した電子書籍についての閲覧制限を解除する（Ｓ１０９）。ここでは，ユーザ端末１４の閲覧制御部５２は，例えば，閲覧が制限されていた部分を閲覧可能に制御する。このようにして，電子書籍を購入したユーザは，当該電子書籍についての決済処理が終了すると，ユーザ端末１４で当該電子書籍の内容のすべてを閲覧することが可能となる
　
Ｄ　「［０１２３］　なお，本発明は上述の実施形態に限定されるものではない。
［０１２４］　例えば，
電子書籍提供サーバ１２とユーザ端末１４との間の通信が行えない状況で，購入を希望する電子書籍に対応する電子書籍情報ページ２４に含まれる購入ボタン２６がクリックされた場合に，ユーザ端末１４が，当該電子書籍の閲覧制限を解除するようにしてもよい。すなわち，例えば，上述の場合に，ユーザ端末１４が，当該電子書籍のすべてが閲覧可能な状態となるよう制御するようにしてもよい
［０１２５］　ここで，例えば，ユーザ端末１４がカード情報などといった決済に必要な情報の入力を予め受け付けておき，ユーザ端末１４が決済に必要な情報を購入要求とともに電子書籍提供サーバ１２に送信するようにしてもよい。また，電子書籍提供サーバ１２を運営する事業者に対して予めユーザから支払われたチャージ金額を示す情報を，電子書籍提供サーバ１２において管理するようにしてもよい。そして，当該チャージ金額の範囲内についての電子書籍の購入については，購入ボタン２６がクリックされた場合に，ユーザ端末１４が，当該電子書籍の閲覧制限を解除するようにするようにしてもよい。そして，電子書籍提供サーバ１２が，ユーザ端末１４から購入要求とともに決済金額を示す情報を受け付けて，電子書籍提供サーバ１２において管理されているチャージ金額から当該決済金額を減額するようにしてもよい。
［０１２６］　上述のようにすれば，ユーザが購入ボタン２６をクリックした際に，電子書籍提供サーバ１２とユーザ端末１４との間の通信が行えない状況であっても，すなわち，オフラインであっても，ユーザは電子書籍を閲覧することができることとなる。」
　
２　引用発明
　上記１からみて，引用文献１には，以下の発明が記載されている（以下「引用発明」という。）。
　
「電子書籍提供システムのユーザが使用するコンピュータであるユーザ端末であって，ＣＰＵ等の制御部，ＲＯＭやＲＡＭ等の記憶素子やハードディスクドライブ等の記憶部，ディスプレイ等の表示部，マウス，キーボード，タッチパネル，ボタン等の入力部，ネットワークボード等の通信部を備え，ウェブブラウザを通じて電子書籍提供サーバが提供する各種サービスを受けるものであり，
　前記電子書籍提供サーバは，ユーザが購入可能な電子書籍に関する情報が示される電子書籍情報ページをユーザ端末に提供するものであり，当該電子書籍情報ページには，サムネイル画像，タイトル，著者名，出版社名，価格などといった，電子書籍に関する情報の他に，購入ボタン，それぞれが電子書籍の章に対応付けられる複数の購入前閲覧部分選択ボタン，お気に入りボタン，が含まれており，
　　ユーザが前記電子書籍情報ページに含まれる前記購入前閲覧部分選択ボタンをクリックすると，電子書籍情報ページに対応する電子書籍の内容の一部である，選択された部分の電子書籍の内容がユーザ端末のディスプレイに表示され，電子書籍の購入前には，クリックされた購入前閲覧部分選択ボタンに対応付けられる章の先頭から所定数のページだけ，ユーザ端末において閲覧可能となり，
　　また，ユーザが前記電子書籍情報ページに含まれる前記購入ボタンをクリックすると，ユーザ端末は，前記電子書籍情報ページに情報が示されている電子書籍の購入要求を，電子書籍提供サーバに送信し，電子書籍提供サーバは，当該購入要求を受信して，受信した購入要求に応じて，当該電子書籍の決済処理を実行し，電子書籍の決済処理の実行後は，当該電子書籍の内容のすべてがユーザ端末において閲覧可能となるものであり，
　ユーザ端末は，機能的には，電子書籍受信部，閲覧制御部，購入要求送信部，決済終了通知受信部，を含んで構成され，これらの要素は，コンピュータであるユーザ端末にインストールされたプログラムを，ユーザ端末の制御部で実行することにより実現されており，
　電子書籍提供システムの電子書籍送信部から，ユーザ端末のユーザにより購入される可能性が高い電子書籍として予測された少なくとも１つの電子書籍が送信されると，ユーザ端末の電子書籍受信部は，当該少なくとも１つの電子書籍を受信し，
　ユーザ端末が受信した電子書籍は，ユーザ端末の記憶部に保存され，この段階では，記憶部に保存された電子書籍は，ユーザによって指定される一部のみが閲覧可能な状態となっており，その後，受信した少なくとも１つの電子書籍のいずれかについて，ユーザにより，当該電子書籍に対応付けられる電子書籍情報ページに含まれる購入前閲覧部分選択ボタンがクリックされることによって，ユーザ端末の閲覧制御部が，当該電子書籍についての購入前閲覧要求の入力を受け付け，すると，ユーザ端末の閲覧制御部が，クリックされた購入前閲覧部分選択ボタンに対応付けられる章の先頭から所定数のページの範囲である，当該電子書籍の内容の一部を，ユーザ端末のディスプレイに表示させるものであり，当該電子書籍の購入前については，閲覧が制限された部分のデータを含む，電子書籍のデータ全体が，ユーザ端末の記憶部に記憶されているものの，例えば，閲覧が制限された部分のデータが，暗号化されるなどして閲覧が制限された状態となっており，
　その後，ユーザが，購入を希望する電子書籍に対応する電子書籍情報ページに含まれる購入ボタンをクリックすると，ユーザ端末の購入要求送信部が，当該電子書籍の購入要求を電子書籍提供サーバに送信し，すると，電子書籍提供サーバの購入要求受信部が当該購入要求を受信し，そして，電子書籍提供サーバの決済処理実行部が，当該電子書籍の決済処理を実行し，
　そして，電子書籍提供サーバの決済処理実行部は，決済処理が終了すると，決済処理が終了したことを示す通知をユーザ端末に送信し，すると，ユーザ端末の決済終了通知受信部は，当該通知を受信し，すると，ユーザ端末の閲覧制御部が，決済処理が終了した電子書籍についての閲覧制限を解除し，ここでは，ユーザ端末の閲覧制御部は，例えば，閲覧が制限されていた部分を閲覧可能に制御し，このようにして，電子書籍を購入したユーザは，当該電子書籍についての決済処理が終了すると，ユーザ端末で当該電子書籍の内容のすべてを閲覧することが可能となるものであり，
　電子書籍提供サーバとユーザ端末との間の通信が行えない状況で，購入を希望する電子書籍に対応する電子書籍情報ページに含まれる購入ボタンがクリックされた場合には，ユーザ端末が，当該電子書籍の閲覧制限を解除するようにしてもよく，すなわち，ユーザ端末が，当該電子書籍のすべてが閲覧可能な状態となるよう制御するようにしてもよい，
　ユーザ端末。」
３　引用文献２の記載
Ｅ　「【００１４】
　各移動記憶装置102は，ハードディスク型家電製品（Philipsにより製造されるHDD100若しくはHDD60，Appleにより製造されるiPod等），ラップトップコンピュータ，又はネットワーク106及びベース104を通じてコンテンツプロバイダ108からコンテンツを受信してこれらのコンテンツを格納可能な他の適切な装置を有してもよい。ここで使用される“各”は，特定のアイテムの少なくともサブセットの１つずつを意味し，“コンテンツ”はビデオデータ，オーディオデータ，及び／又は移動記憶装置102で実行，
表示
コンテンツは
電子ブック
を有してもよい
　
Ｆ　「【００３３】
　任意選択の
制限コンテンツ222は，オフライン中にユーザによる購入に選択されているが，まだ購入されていないコンテンツを有する
制限コンテンツ222は，ユーザがオフライン中に購入することを決定した１つ以上の曲を有する。これらの曲は，無制限コンテンツ220として格納された曲と比べて，更なる制限付きでユーザに利用可能になる
【００３４】
　例えば，
制限コンテンツ222である曲は
品質での徐々の低下を受けるように制限されてもよい
　
　上記Ｅ及びＦの記載から，引用文献２には，「書籍等のコンテンツ表示装置において，オフライン中にユーザが購入を選択しているがまだ購入されていないコンテンツは，制限コンテンツとして品質における除々の低下を受けるように制限されて表示させること」が記載されているといえる。
　
４　引用文献３の記載
Ｇ　「【０００９】
【課題を解決するための手段】
本発明の第１の観点に従う電子プロダクトの閲覧制御プログラムは，
ユーザの操作に応じて前記電子的プロダクトを表示し，前記ユーザに閲覧させる第１の手段と，前記ユーザが前記電子的プロダクトを閲覧中に，前記電子的プロダクトに設定されている利用料金の決済を前記ユーザに要求する第２の手段と，前記決済が完了するまでの間，前記電子的プロダクトの閲覧続行を一時的に中断させる第３の手段と，前記決済が完了した場合には，前記電子的プロダクトの閲覧再開を許可させる第４の手段と，をコンピュータ上で実現させる
【００１０】
電子的プロダクトとしては，例えば，静止画像や動画像等のディジタルイメージを挙げることができ，具体的には，例えば，写真，雑誌，書籍，漫画，アニメーション，映画，ドラマやスポーツあるいは教養等の各種番組等を例示的に列挙することができる。ユーザは，第１の手段により，電子的プロダクトを表示させて閲覧（視聴を含む）することができる
電子的プロダクトの無料閲覧範囲が終了したような場合に，第２の手段により決済要求の通知が表示される。この決済要求の通知は，好ましくは，電子的プロダクトの閲覧画面と同一画面上で行われる。決済要求が通知されると，第３の手段は，電子的プロダクトの閲覧続行を一時的に中断させる。例えば，第３の手段は，ユーザが無料閲覧範囲を超えて電子的プロダクトの閲覧を続行できないように，ページ送りやコマ送り等の操作を禁止する
第４の手段は，ユーザによる利用料金の支払い完了を確認すると，第３の手段による閲覧続行禁止を解除する。これにより，ユーザは，中断位置から再び電子的プロダクトの閲覧を続行することができる。従って，従来技術のように，電子的プロダクトの決済のために閲覧を中止して別画面に移動し，決済完了後に再び最初から改めて電子的プロダクトを閲覧する必要が無く，中断位置から直ちに閲覧を再開することができ，シームレスな操作が実現される
　
Ｈ　「【０１１１】
以上が，
高機能ビューワ３２００の全体的な表示動作
・・・（中略）・・・
【０１１７】
このように，
ユーザの閲覧画面上
決済が完了した場合には，閲覧中断位置から直ちに閲覧再開可能となるため，無料閲覧から決済用情報の入力を経て閲覧再開に至るまでの一連の流れを比較的滑らかに行うことができる
【０１１８】
なお，ユーザが閲覧権を購入した場合，高機能ビューワ３２００は，課金対象の有料ページであるか否かの判定を行う必要がなく，ユーザ操作に応じて最適なレベルを決定し，必要なメッシュファイルを取得して結合し，表示させる。」
Ｊ　「【０１１９】
次に，図１４〜図１９の
閲覧画面
・・・（中略）・・・
【０１２１】
画像表示部Ｖ１０は，ユーザが所望したイメージデータＤ１０（ディジタルコンテンツ）の画像Ｇ１０を表示させる領域である。図示の例では，Ｇ１１及びＧ１２の２ページの画像が見開きで表示されている。１画面に１ページの画像を表示させることもできるし，図１４のように複数ページの画像を表示させることもできる。画像表示部Ｖ１０に表示される画像の数及びレイアウトは，コンテンツの種類や性質に応じて，制作者が自由に設定可能である。
【０１２２】
コンテンツ利用部Ｖ２０は，ユーザの選択したコンテンツ（自己制御機能付きイメージデータＤ１０である）の利用方法等を操作するためのものである。コンテンツ利用部Ｖ２０は，閲覧権ボタンＶ２１，ダウンロード権ボタンＶ２２，印刷ボタンＶ２３，保存ボタンＶ２４，メールボタンＶ２５と，コピーボタンＶ２６，リストボタンＶ２７，情報ボタンＶ２８を備えている。
【０１２３】
閲覧権ボタンＶ２１は，画像表示部Ｖ１０に表示させているコンテンツの閲覧権を購入する場合に操作するものである。上述の通り，有料ページに移行しようとする際にも閲覧権の購入が求められるが，有料ページに移行する前であっても，ユーザは自発的に閲覧権を購入することができるようになっている。
　上記ＧないしＪの記載から，引用文献３には，「書籍等の電子コンテンツ表示装置において，閲覧可能なコンテンツのプレビュー表示（Ｖ１０）とともに閲覧権の購入ボタン（Ｖ２１）を表示（高機能ビューワの閲覧画面）し，上記閲覧可能なコンテンツの表示から，閲覧が制限されたコンテンツ（有料ページ）に移行する前に，上記購入ボタン操作により自発的に閲覧権を購入することによって，上記閲覧が制限されたコンテンツを表示し閲覧可能にすること」が記載されているといえる。
　
第５　対比
　
　本願発明と引用発明を対比すると，以下のとおりとなる。
　
ア　引用発明における「コンピュータ」である「ユーザ端末」は，本願発明における「情報処理デバイス」に相当する。
　
イ　引用発明である「ユーザ端末」は，「電子書籍受信部，閲覧制御部，購入要求送信部，決済終了通知受信部」等の「要素」を，「ユーザ端末にインストールされたプログラムを，ユーザ端末の制御部で実行することにより実現」しており，この場合の「プログラム」は複数の命令の組を含み，「インストール」先の「記憶部」に格納されているといえ，また当該「プログラム」を「実行」する「制御部」は「ＣＰＵ」を含み，上記「プログラム」を「実行」するためにその中の複数の命令の組に当然にアクセスしていると解されるから，引用発明の「プログラム」の「インストール」先の「記憶部」，「プログラム」を「実行」する「制御部」の「ＣＰＵ」は，それぞれ本願発明の「複数の命令の組を格納するメモリ」，「複数の命令の組へアクセスする１つ以上のプロセッサ」に相当するといえる。
　
ウ　上記イのとおり，引用発明である「ユーザ端末」は，「電子書籍受信部，閲覧制御部，購入要求送信部，決済終了通知受信部」等の「要素」を，「ユーザ端末にインストールされたプログラムを，ユーザ端末の制御部で実行することにより実現」しているところ，そのうち，「電子書籍受信部」は，「電子書籍提供システムの電子書籍送信部から，ユーザ端末のユーザにより購入される可能性が高い電子書籍として予測された少なくとも１つの電子書籍が送信されると，ユーザ端末の電子書籍受信部は，当該少なくとも１つの電子書籍を受信」するものであり，この場合の「受信」した「電子書籍」は，「この段階では，記憶部に保存された電子書籍は，ユーザによって指定される一部のみが閲覧可能な状態」であって，「電子書籍の購入前については，閲覧が制限された部分のデータを含む，電子書籍のデータ全体が，ユーザ端末の記憶部に記憶されているものの，例えば，閲覧が制限された部分のデータが，暗号化されるなどして閲覧が制限された状態となって」いることから，「電子書籍の購入前」において「閲覧が制限された部分」と「閲覧可能」な部分とを含むコンテンツであるといえ，また，引用発明である上記「ユーザ端末」は「ウェブブラウザを通じて電子書籍提供サーバが提供する各種サービスを受ける」ものであることから，上記「電子書籍」は，「電子書籍提供サーバ」によるネットワーク上のサービスから「受信」したものといえる。
　そして，引用発明の「電子書籍提供サーバが提供する各種サービス」，「電子書籍」，「電子書籍の購入前」において「閲覧が制限された部分」，「電子書籍の購入前」において「閲覧可能」な部分，「電子書籍のデータ全体」は，それぞれ本願発明の「ネットワークサービス」，「コンテンツアイテム」，「ロック部分」，「アンロック部分」，「ファイル」に相当し，そうすると，引用発明の「制御部」の「ＣＰＵ」が，「ユーザ端末にインストールされたプログラム」を「実行することにより」「電子書籍受信部」を「実現」することで，「少なくとも１つの電子書籍を受信」することであり，当該「電子書籍」は「この段階では，記憶部に保存された電子書籍は，ユーザによって指定される一部のみが閲覧可能な状態」であって「電子書籍の購入前については，閲覧が制限された部分のデータを含む，電子書籍のデータ全体が，ユーザ端末の記憶部に記憶されているものの，例えば，閲覧が制限された部分のデータが，暗号化されるなどして閲覧が制限された状態となって」おり，かつ，「ウェブブラウザを通じて電子書籍提供サーバが提供する各種サービス」から「受信」したものといえることは，本願発明の「１つ以上のプロセッサ」が，「複数の命令の組へアクセスする」ことで実行する「ネットワークサービスからのコンテンツアイテムに相当する，ロック部分とアンロック部分を有する１つ以上のファイルを受信する操作」に相当する。
　
エ　引用発明では，「ユーザ端末が受信した電子書籍は，ユーザ端末の記憶部に保存され，この段階では，記憶部に保存された電子書籍は，ユーザによって指定される一部のみが閲覧可能な状態となっており，その後，受信した少なくとも１つの電子書籍のいずれかについて，ユーザにより，当該電子書籍に対応付けられる電子書籍情報ページに含まれる購入前閲覧部分選択ボタンがクリックされることによって，ユーザ端末の閲覧制御部が，当該電子書籍についての購入前閲覧要求の入力を受け付け，すると，ユーザ端末の閲覧制御部が，クリックされた購入前閲覧部分選択ボタンに対応付けられる章の先頭から所定数のページの範囲である，当該電子書籍の内容の一部を，ユーザ端末のディスプレイに表示させるものであり」，「電子書籍の購入前」において「閲覧可能」な部分に相当する上記「購入前閲覧部分選択ボタンに対応付けられる章の先頭から所定数のページの範囲」を，「ディスプレイに表示」させるための処理は，「ユーザ端末の閲覧制御部」が「ユーザ端末にインストールされたプログラムを，ユーザ端末の制御部で実行することにより実現」しており，また，当該表示のためのレンダリング処理を当然に含むといえ，さらに，当該「購入前閲覧部分選択ボタンに対応付けられる章の先頭から所定数のページの範囲」を「ディスプレイに表示」させるための処理がなされる段階では，「記憶部に保存された電子書籍は，ユーザによって指定される一部のみが閲覧可能な状態となっ」ているから，「閲覧が制限された部分」は制限すなわちロックされているといえる。
　そして，引用発明の「電子書籍の購入前」において「閲覧可能」な部分の表示は，本願発明の「プレビュー」に相当し，そうすると，引用発明の「制御部」の「ＣＰＵ」が，「ユーザ端末にインストールされたプログラム」を「実行することにより」「閲覧制御部」を「実現」することで，「クリックされた購入前閲覧部分選択ボタンに対応付けられる章の先頭から所定数のページの範囲である，当該電子書籍の内容の一部を，ユーザ端末のディスプレイに表示させる」ことは，本願発明の「１つ以上のプロセッサ」が「複数の命令の組へアクセスする」ことで実行する「前記ロック部分がロックされている間に前記アンロック部分をプレビューとしてレンダリングするようにアプリケーションを実行する操作」に相当する。
　
オ　引用発明においては，「電子書籍提供サーバは，ユーザが購入可能な電子書籍に関する情報が示される電子書籍情報ページをユーザ端末に提供するもの」であって，当該「電子書籍情報ページ」には「購入ボタン」が含まれ，「ユーザが，購入を希望する電子書籍に対応する電子書籍情報ページに含まれる購入ボタンをクリックすると，ユーザ端末の購入要求送信部が，当該電子書籍の購入要求を電子書籍提供サーバに送信」するものである。
　そして，引用発明の「電子書籍の購入」，「購入ボタンをクリックする」ことは，それぞれ本願発明の「コンテンツアイテムに係る支払いを受け入れること」，「指定入力」に相当し，そうすると，引用発明の「ユーザ端末にインストールされたプログラムを，ユーザ端末の制御部」である「ＣＰＵ」で「実行することにより実現」する機能による，「購入ボタン」を含む「電子書籍情報ページ」を「ユーザ端末」に表示することは，本願発明の「１つ以上のプロセッサ」が「複数の命令の組へアクセスする」ことで「アプリケーションを実行するときに」実行する「操作」である「（ｉ）　ユーザーが前記コンテンツアイテムに係る支払いを受け入れることを示唆する指定入力を受信する機能を供する操作」に相当する。
　
カ　引用発明は，「ユーザが，購入を希望する電子書籍に対応する電子書籍情報ページに含まれる購入ボタンをクリックすると，ユーザ端末の購入要求送信部が，当該電子書籍の購入要求を電子書籍提供サーバに送信し，すると，電子書籍提供サーバの購入要求受信部が当該購入要求を受信し，そして，電子書籍提供サーバの決済処理実行部が，当該電子書籍の決済処理を実行し，そして，電子書籍提供サーバの決済処理実行部は，決済処理が終了すると，決済処理が終了したことを示す通知をユーザ端末に送信し，すると，ユーザ端末の決済終了通知受信部は，当該通知を受信し，すると，ユーザ端末の閲覧制御部が，決済処理が終了した電子書籍についての閲覧制限を解除し，ここでは，ユーザ端末の閲覧制御部は，例えば，閲覧が制限されていた部分を閲覧可能に制御し，このようにして，電子書籍を購入したユーザは，当該電子書籍についての決済処理が終了すると，ユーザ端末で当該電子書籍の内容のすべてを閲覧することが可能となる」ものであって，この場合「ユーザ端末」と「電子書籍提供サーバ」とは，要求及び通知の送受信が行えるネットワーク接続を有する期間中にあるといえる。
　そして，引用発明の「電子書籍についての閲覧制限を解除」することは，本願発明の「コンテンツアイテムのロック部分をアンロックする」ことに相当し，また，引用発明の「電子書籍についての閲覧制限を解除」して「閲覧可能」にした部分は，本願発明の「コンテンツアイテムのロック部分」から得られた「コンテンツ」に相当し，そうすると，引用発明の「ユーザ端末にインストールされたプログラムを，ユーザ端末の制御部」である「ＣＰＵ」で「実行することにより実現」する機能による，「ユーザが，購入を希望する電子書籍に対応する電子書籍情報ページに含まれる購入ボタンをクリックすると，ユーザ端末の購入要求送信部が，当該電子書籍の購入要求を電子書籍提供サーバに送信し，すると，電子書籍提供サーバの購入要求受信部が当該購入要求を受信し，そして，電子書籍提供サーバの決済処理実行部が，当該電子書籍の決済処理を実行し，そして，電子書籍提供サーバの決済処理実行部は，決済処理が終了すると，決済処理が終了したことを示す通知をユーザ端末に送信し，すると，ユーザ端末の決済終了通知受信部は，当該通知を受信し，すると，ユーザ端末の閲覧制御部が，決済処理が終了した電子書籍についての閲覧制限を解除し，ここでは，ユーザ端末の閲覧制御部は，例えば，閲覧が制限されていた部分を閲覧可能に制御し，このようにして，電子書籍を購入したユーザは，当該電子書籍についての決済処理が終了すると，ユーザ端末で当該電子書籍の内容のすべてを閲覧することが可能となる」ようにすることは，本願発明の「１つ以上のプロセッサ」が「複数の命令の組へアクセスする」ことで「アプリケーションを実行するときに」実行する「操作」である「（ｉｉ）　当該情報処理デバイスがネットワーク接続を有している期間中における前記指定入力の受信に応じて前記コンテンツアイテムのロック部分をアンロックする操作」に相当する。
キ　後記する点で相違するものの，本願発明の「１つ以上のプロセッサ」が「複数の命令の組へアクセスする」ことで「アプリケーションを実行するときに」実行する「操作」である「（ｉｉｉ）　当該情報処理デバイスがネットワーク接続を有していない期間中における前記指定入力の受信に応じて前記アンロック後の前記ロック部分を限定された状態でアクセスさせる操作」と，引用発明の「ユーザ端末にインストールされたプログラムを，ユーザ端末の制御部」である「ＣＰＵ」で「実行することにより実現」する機能による，「電子書籍提供サーバとユーザ端末との間の通信が行えない状況で，購入を希望する電子書籍に対応する電子書籍情報ページに含まれる購入ボタンがクリックされた場合には，ユーザ端末が，当該電子書籍の閲覧制限を解除するようにしてもよく，すなわち，ユーザ端末が，当該電子書籍のすべてが閲覧可能な状態となるよう制御する」こととは，“１つ以上のプロセッサ”が“複数の命令の組へアクセスする”ことで“アプリケーションを実行するときに”実行する“操作”である“（ｉｉｉ）　当該情報処理デバイスがネットワーク接続を有していない期間中における前記指定入力の受信に応じて前記アンロック後の前記ロック部分をアクセスさせる操作”である点で共通する。
　
ク　上記アないしキの検討から，本願発明と引用発明との間には，次の一致点，相違点があるといえる。
　
（一致点）
　情報処理デバイスであって，
　複数の命令の組を格納するメモリ，
　ネットワークサービスからのコンテンツアイテムに相当する，ロック部分とアンロック部分を有する１つ以上のファイルを受信する操作，
　前記ロック部分がロックされている間に前記アンロック部分をプレビューとしてレンダリングするようにアプリケーションを実行する操作，
　前記アプリケーションを実行するときに，
　（ｉ）　ユーザーが前記コンテンツアイテムに係る支払いを受け入れることを示唆する指定入力を受信する機能を供する操作，
　（ｉｉ）　当該情報処理デバイスがネットワーク接続を有している期間中における前記指定入力の受信に応じて前記コンテンツアイテムのロック部分をアンロックする操作，及び，
　（ｉｉｉ）　当該情報処理デバイスがネットワーク接続を有していない期間中における前記指定入力の受信に応じて前記アンロック後の前記ロック部分をアクセスさせる操作，
　を有する操作を実行するために前記複数の命令の組へアクセスする１つ以上のプロセッサ，
　を有する，情報処理デバイス。
　
（相違点１）
　情報処理デバイスがネットワーク接続を有していない期間中における前記指定入力の受信に応じてアンロック後のロック部分をアクセスさせる操作に関し，
　本願発明は，アンロック後のロック部分を「限定された状態で」アクセスさせる操作であるのに対して，
　引用発明は，「電子書籍提供サーバとユーザ端末との間の通信が行えない状況で」「電子書籍についての閲覧制限を解除」して「閲覧可能」にした部分のユーザに対する表示の態様について，そのように特定されていない点。
  
（相違点２）
　本願発明は，「１つ以上のプロセッサは，新たなウインドウ又はアプリケーションを開くことなく，前記プレビューを供するように前記コンテンツアイテムのアンロック部分を実行し，前記プレビューとともに，前記指定入力を受け付ける操作子を表示し，前記（ｉｉ）または（ｉｉｉ）の操作を行うことで，前記コンテンツアイテムのロック部分から得られたコンテンツの表示を，前記プレビューとしてレンダリングされた前記アンロック部分のコンテンツの閲覧を中断することなく行うように前記アプリケーションを実行する操作，を有する操作を実行するために前記命令にアクセスする」のに対して，
　引用発明は，「電子書籍の購入前」において「閲覧可能」な部分の表示と，「購入ボタン」，及び，「電子書籍についての閲覧制限を解除」して「閲覧可能」にした部分，の表示の関係について，そのような特定はされていない点。
　
　
第６　判断 
　
　上記相違点について，判断する。
　
１　相違点１について
　
　書籍等のコンテンツ表示装置において，オフライン中にユーザが購入を選択しているがまだ購入されていないコンテンツが，制限コンテンツとして品質における除々の低下を受けるように制限されて表示させることは，引用文献２（上記第４の３）に記載されており，引用発明と引用文献２に記載の技術とは，コンテンツ表示装置に係る共通の技術分野に属するものであり，引用発明の「電子書籍提供サーバとユーザ端末との間の通信が行えない状況」で「電子書籍の閲覧制限」を解除した部分の表示について，上記引用文献２に記載の技術を適用することを阻害する事情も認められない。
　そうすると，引用発明において，電子書籍提供サーバとユーザ端末との間の通信が行えない状況で購入ボタンをクリックし「電子書籍についての閲覧制限を解除」して「閲覧可能」にした部分の，ユーザに対する表示の態様として，上記引用文献２に記載の技術事項を適用すること，すなわち，上記相違点１に係る構成とすることは，当業者が容易に想到し得たことである。
　
２　相違点２について
　
  本願発明の「新たなウインドウ又はアプリケーションを開くことなく」との事項について，令和元年５月７日付けの意見書では，
　『（２）については，同時提出の手続補正書により補正しましたとおり，請求項１において，補正前の「同一のアプリケーションセッションの間に」は，「新たなウインドウ又はアプリケーションを開くことなく」に補正されました。
　この補正により，請求項１の上記記載は，本願明細書の段落００１４の，
　
「たとえば一のアプリケーションセッションでは，ユーザーは，電子書籍のプレビューセグメントを閲覧し，前記電子書籍を閲覧する一方で前記電子書籍を購入し，かつ，中断又は不連続なく前記プレビューセグメントの範囲外である前記電子書籍からの頁の閲覧を継続できる。従来の方法とは対照的に，図１の例では，ユーザーは，たとえば新たなウインドウ又はアプリケーションを開くような操作を実行することによる読書感とはかけ離れた誘導をしなくてもよい。むしろユーザーは単純に，プレビューを閲覧しながら電子書籍全体をレンダングする操作を引き起こしてよい。」
 
を意味していることが明確になったものと思料いたします。』
　
　と説明されているところ，上記引用の本願明細書の発明の詳細な説明（以下，単に「発明の詳細な説明」という。）における「ユーザーは，電子書籍のプレビューセグメントを閲覧し，前記電子書籍を閲覧する一方で前記電子書籍を購入し，かつ，中断又は不連続なく前記プレビューセグメントの範囲外である前記電子書籍からの頁の閲覧を継続できる。」との記載によれば，「新たなウインドウ」を「開く」こととは，「電子書籍のプレビュー」ウィンドウとは別の「新たなウインドウ」を開くこと，を意味するものと解することができ，上記引用中にある「読書感」について記載した同じ発明の詳細な説明の段落【０００７】に，
　「・・・さらに前記ユーザーは，前記プレビューセグメントを閲覧している間に前記電子書籍をアンロックすることで，シームレスな読書感を維持できる。」
　と記載されていることからも同様の意味に解することができ，当該構成により，「電子書籍のプレビュー」表示の閲覧から，購入した「プレビューセグメントの範囲外である前記電子書籍からの頁の閲覧」へと「中断又は不連続なく」継続できることで，「シームレスな読書感を維持」しているものであり，そうすると，本願発明の「新たなウインドウ又はアプリケーションを開くことなく」とは，「電子書籍のプレビュー」ウィンドウとは別の「新たなウインドウ」を開くことなく，「前記指定入力を受け付ける操作子」の表示，及び，「コンテンツアイテムのロック部分から得られたコンテンツの表示」を行うこと，を意味すると解することができる。
　同様に，本願発明の「コンテンツアイテムのロック部分から得られたコンテンツの表示を，前記プレビューとしてレンダリングされた前記アンロック部分のコンテンツの
閲覧を中断
　
　『この事項は本願の明細書の段落００１４，００３１等に記載されておりますので，この補正は当初明細書等の記載事項の範囲内において行われたものと思料いたします。
　・・・
　この補正により，請求項１の上記記載は，「前記プレビューとしてレンダリングされた前記アンロック部分」から「コンテンツアイテムのロック部分から得られ」た「コンテンツ」へと，
表示の中断
　と説明され，上記引用の発明の詳細な説明の段落【００３１】に，
　「・・・その結果ユーザーは，コンテンツアイテム（たとえば電子書籍２２１）のプレビューセグメントを閲覧又は購入し，その後シームレスで中断なく，そのコンテンツアイテムの残りを連続して閲覧又は購入することを継続するための条件を受け入れることができる。電子書籍の文脈では，ユーザーは，電子書籍のプレビューセグメントを読みながらその電子書籍の購入を選択することができる。プレビューセグメントが完全であるとき，
ユーザーは，そのプレビューセグメントに続く頁を読み続けることができる
　と記載されていることも踏まえると，「コンテンツアイテムのロック部分から得られたコンテンツの表示」を，表示された「電子書籍のプレビュー」の閲覧を妨げることなく行うこと，を意味するものと解される。
　
　それに対し，書籍等の電子コンテンツ表示装置において，閲覧可能なコンテンツのプレビュー表示とともに閲覧権の購入ボタンを表示し，上記閲覧可能なコンテンツの表示から，閲覧が制限されたコンテンツに移行する前に，上記購入ボタン操作により自発的に閲覧権を購入することによって，上記閲覧が制限されたコンテンツを表示し閲覧可能にすることは，引用文献３（上記第４の４）に記載されており，この場合の「閲覧権の購入ボタン」や「閲覧が制限されたコンテンツ」の購入後の表示は，「閲覧可能なコンテンツのプレビュー表示」と異なるウインドウによってなされるものではないから，本願発明の「新たなウインドウ又はアプリケーションを開くことなく」に相当するといえ，また，上記「閲覧が制限されたコンテンツ」の閲覧権の購入は，「閲覧可能なコンテンツのプレビュー表示」から「閲覧が制限されたコンテンツ」に移行する前になし得ることから，「閲覧可能なコンテンツ」が「プレビュー表示」されている状態でなされるものであって，当該状態において上記閲覧権を購入することで，「閲覧可能なコンテンツのプレビュー表示」による閲覧が妨げられることなく「閲覧が制限されたコンテンツ」の表示へと移行するものと解され，これは，表示された「電子書籍のプレビュー」の閲覧を妨げることなく，「コンテンツアイテムのロック部分から得られたコンテンツの表示」を行うこと，に他ならない。
　そして，引用発明と引用文献３に記載の技術とは，コンテンツ表示装置に係る共通の技術分野に属するとともに，引用発明の，「電子書籍の購入前」において「閲覧可能」な部分の表示と，「購入ボタン」，及び，「電子書籍についての閲覧制限を解除」して「閲覧可能」にした部分，の表示の関係について，上記引用文献３に記載の技術を適用することを阻害する事情も認められない。
　そうすると，引用発明において，「電子書籍の購入前」における「閲覧可能」な部分の表示と，「購入ボタン」，及び，「電子書籍についての閲覧制限を解除」して「閲覧可能」にした部分，の表示の関係について上記引用文献３に記載の技術を適用することで，新たなウインドウを開くことなく，「電子書籍の購入前」において「閲覧可能」な部分を表示させる際に，当該「閲覧可能」な部分とともに「購入ボタン」を表示するよう構成するとともに，当該「購入ボタンをクリックする」ことで，「電子書籍についての閲覧制限を解除」して「閲覧可能」にした部分の表示を，表示された「電子書籍の購入前」において「閲覧可能」な部分の閲覧を妨げることなく行うよう構成すること，すなわち，上記相違点２に係る構成とすることは，当業者が容易に想到し得たことである。
　
３　そして，これらの相違点を総合的に勘案しても，本願発明の作用効果は，引用発明，引用文献２，３に記載の技術事項の奏する作用効果から予測される範囲のものにすぎず，格別顕著なものということはできない。
　よって，本願発明は，引用発明，引用文献２，３に記載の技術事項に基づいて当業者が容易に発明をすることができたものである。
　
４　請求人の主張について 
　請求人は，令和元年５月７日付けの意見書において，『引用文献３では，請求項１において「
閲覧続行を一時的に中断
本願の図６Ａを参照すると，電子書籍を購入するための機能６３０（クレームにおける操作子）は，プレビューセグメント６２０と重ならずに表示され，機能６３０が表示されたとしてもユーザーの閲覧は中断されず，閲覧を継続することが出来ます
　しかしながら，平成３１年２月２６日付けで当審が通知した拒絶理由でも記載を引用したとおり，引用文献３の図１４ないし１９及び関連する記載には，閲覧可能なコンテンツの表示から閲覧が制限されたコンテンツに移行する前に，購入ボタン操作により自発的に閲覧権を購入することによって，表示された「電子書籍のプレビュー」の閲覧が妨げられることなく，「コンテンツアイテムのロック部分から得られたコンテンツの表示」を行うことが記載されており，「コンテンツアイテムのロック部分から得られたコンテンツの表示」が「電子書籍のプレビュー」の表示閲覧を中断するものではない。
　また，請求人が主張の中で引用する記載に関しては，引用文献３の記載を見ると，「電子的プロダクトの無料閲覧範囲が終了したような場合に，第２の手段により決済要求の通知が表示される。この決済要求の通知は，好ましくは，電子的プロダクトの閲覧画面と同一画面上で行われる。決済要求が通知されると，第３の手段は，電子的プロダクトの
閲覧続行を一時的に中断させる
ユーザが無料閲覧範囲を超えて電子的プロダクトの閲覧を続行できないように，ページ送りやコマ送り等の操作を禁止する
ユーザによる利用料金の支払い完了を確認すると，第３の手段による閲覧続行禁止を解除する
従来技術
電子的プロダクトの決済のために閲覧を中止して別画面に移動し，決済完了後に再び最初から改めて電子的プロダクトを閲覧する必要が無く，中断位置から直ちに閲覧を再開することができ，シームレスな操作が実現される
　さらに，請求人の，上記「本願の図６Ａを参照すると，
電子書籍を購入するための機能６３０（クレームにおける操作子）は，プレビューセグメント６２０と重ならずに表示され，機能６３０が表示されたとしてもユーザーの閲覧は中断されず
　したがって，いずれにしても請求人の上記主張は採用することはできない。
　
　
第７　むすび
　
　以上のとおり，本願発明は，その優先日前に日本国内又は外国において，頒布された又は電気通信回線を通じて公衆に利用可能となった引用発明，引用文献２，３に記載された技術事項に基づいて，その優先日前にその発明の属する技術の分野における通常の知識を有する者が容易に発明をすることができたものであるから，特許法２９条２項の規定により特許を受けることができない。
　したがって，他の請求項に係る発明について検討するまでもなく，本願は拒絶すべきものである。
　よって，結論のとおり審決する。